(57)【要約】【課題】  容器体内垂設のシリンダ内から、容器体口頸部へ嵌合させた装着筒上端の内向きフランジ内周から起立するガイド筒内を通って、上端にノズル付き押下げヘッドを有する作動部材を上方付勢させて起立するポンプ式液体噴出容器において、上記押下げヘッドが不用意に押下げられることを防止すると共に押下げ面を大径化して押下げ易くし、又ノズル上面への埃付着等を防止できるよう設けた。【解決手段】  上記押下げヘッド15の上端部へ該押下げヘッドよりも大外径の天板を有するキャップ状部22を回動可能に嵌合させると共に、該キャップ状部の前部から、ノズル18の上面、前端面、下面を覆い、かつ下面覆合部分後端から下方板部23a を垂下する嘴状部23を突出するカバー21を設け、その下方板部下端をガイド筒６前面に縦設した第１突条８上面へ載置した。【選択図】  図１
2006282228.tif 000002
【特許請求の範囲】
【請求項１】
容器体内へ垂設されたシリンダ内から、容器体口頸部外面へ嵌合させた装着筒上端の内向きフランジ内周縁から起立するガイド筒内を通って、上端にノズル付き押下げヘッドを有する作動部材を上方付勢させて起立するポンプ式液体噴出容器において、
上記押下げヘッド15の上端部へ、該押下げヘッドよりも大外径のキャップ状部22を回動可能に嵌合させると共に、該キャップ状部22の前部から、該キャップ状部の前方へ突出するノズル18部分の上面、前端面および下面を覆い、かつ該ノズル下面覆合部分後端から下方板部23a を垂下する嘴状部23を突出するカバー21を設け、又上記ガイド筒６前面に第１突条８を縦設して、上記下方板部23a 下端を第１突条８上面へ載置させた
ことを特徴とするポンプ式液体噴出容器。
【請求項２】
上記作動部材を、シリンダ内から起立するステム14上部外面へ押下げヘッドから垂下するステム嵌合筒16を嵌着させて形成し、該ステム嵌合筒16の外面に第２突条19を縦設すると共に該第２突条摺動用の溝７を上記ガイド筒６内面へ縦設して第２突条19下端を溝７の上端部内へ下降可能に嵌合させた
ことを特徴とする、請求項１記載のポンプ式液体噴出容器。
【請求項３】
上記第２突条19をノズル下方のステム嵌合筒部分外面へ縦設すると共に、溝７を第１突条８を有するガイド筒部分の内面へ縦設した
ことを特徴とする請求項２記載のポンプ式液体噴出容器。
【請求項４】
押下げヘッド15外面へ嵌合させてキャップ状部22から垂設した嵌合壁25を、上方からみてＣ字形状となし、上記嘴状部の下方板部23a 下端が第１突条８上へ載置する状態で嵌合壁一端がノズル18の一方側面に接し、又押下げヘッドに対するキャップ状部22の回動で嘴状部がノズル側方へ移動したとき、上記嵌合壁他端がノズル18の他方側面へ当接可能に形成した
ことを特徴とする、請求項１，２又は３記載のポンプ式液体噴出容器。
【発明の詳細な説明】
【技術分野】
【０００１】
本発明は容器体上方へノズル付き押下げヘッドを起立し、該ヘッドの上下動で容器体内液体が上記ノズルから噴出可能とした、ポンプ式の液体噴出容器に関する。
【背景技術】
【０００２】
この種のポンプ式液体噴出容器は、通常容器体内へ垂設されたシリンダ内から、容器体口頸部外面へ螺合させた装着筒上端の内向きフランジのフランジ孔内を通って、上端にノズル付き押下げヘッドを嵌着させた作動部材を上方付勢させて起立し、その押下げヘッドを介して作動部材を押下げることでシリンダ内液体をノズルから噴出し、又作動部材の上昇で容器体内液体をシリンダ内へ吸上げ可能としている。
【０００３】
このようなポンプ式液体噴出容器のうち、上記ノズルの基端上面へ、該ノズルの上面および先端開口面を覆う嘴状部の基端を枢着し、該枢着部を中心とする水平方向での回動によりノズル先端面を開閉して、その閉塞によりノズル孔内が乾燥してノズル孔内に残った液体が固化しないよう設けたものが知られている（特許文献１）。
【特許文献１】特開２００４−８２０５２号公報
【発明の開示】
【発明が解決しようとする課題】
【０００４】
上記従来例は、輸送時等における嵩ばりを防止するために押下げヘッドを付勢に抗し押下げてシリンダ上端部内面へ固着させた雌ねじ筒へ押下げヘッドの下方部分を螺合できるよう設けているから、そのように螺合させておくことで、起立している押下げヘッドが不用意に押下げられて液体噴出するおそれはないが、上記のような押下げ状態確保手段を有しない場合は押下げヘッドを上方へ突出させたままであり、この場合はそのヘッド押下げによりノズルから液体を噴出することとなる。
【０００５】
本発明はそのような欠点を除去すると共にノズル先端面開閉操作も容易としたものである。
【課題を解決するための手段】
【０００６】
第１の手段として容器体内へ垂設されたシリンダ内から、容器体口頸部外面へ嵌合させた装着筒上端の内向きフランジ内周縁から起立するガイド筒内を通って、上端にノズル付き押下げヘッドを有する作動部材を上方付勢させて起立するポンプ式液体噴出容器において、
上記押下げヘッド15の上端部へ、該押下げヘッドよりも大外径のキャップ状部22を回動可能に嵌合させると共に、該キャップ状部22の前部から、該キャップ状部の前方へ突出するノズル18部分の上面、前端面および下面を覆い、かつ該ノズル下面覆合部分後端から下方板部23a を垂下する嘴状部23を突出するカバー21を設け、又上記ガイド筒６前面に第１突条８を縦設して、上記下方板部23a 下端を第１突条８上面へ載置させた。
【０００７】
第２の手段として、上記第１の手段を有すると共に上記作動部材を、シリンダ内から起立するステム14上部外面へ押下げヘッドから垂下するステム嵌合筒16を嵌着させて形成し、該ステム嵌合筒16の外面に第２突条19を縦設すると共に該第２突条摺動用の溝７を上記ガイド筒６内面へ縦設して第２突条19下端を溝７の上端部内へ下降可能に嵌合させた。    
【０００８】
第３の手段として、上記第２の手段を有し、かつ上記第２突条19をノズル下方のステム嵌合筒部分外面へ縦設すると共に、溝７を第１突条８を有するガイド筒部分の内面へ縦設した。
【０００９】
第４の手段として、上記第１、第２、又は第３の手段を有すると共に押下げヘッド15外面へ嵌合させてキャップ状部22から垂設した嵌合壁25を、上方からみてＣ字形状となし、上記嘴状部の下方板部23a 下端が第１突条８上へ載置する状態で嵌合壁一端がノズル18の一方側面に接し、又押下げヘッドに対するキャップ状部22の回動で嘴状部がノズル側方へ移動したとき、上記嵌合壁他端がノズル18の他方側面へ当接可能に形成した。
【発明の効果】
【００１０】
請求項１記載の構成とすることで、嘴状部23がキャップ状部22を介しての押下げヘッド15の押下げを防止することとなり、よって不用意な押下げによる液体噴出を防止でき、又該状態では嘴状部がノズル外方突出部分の上面や前端面を覆うからノズル上面への埃等の付着がなく、かつノズル孔内に残った液体乾燥固化による目塞りを防止することが出来、キャップ状部22を押下げヘッド15よりも大外径としたから従来のようにその押下げ面が小さいためにその押下げ時に指が痛くなることもない。
【００１１】
請求項２のようにすることで、押下げヘッド15に対するキャップ状部22回動の際にそれ等押下げヘッドとキャップ状部とが共に回動することがなく、キャップ状部回動によって確実にノズル18から嘴状部23を外すことが出来、又ストッパとしての下方板部23ａを元に戻すことが出来る。
【００１２】
請求項３のようにすることで、容器上部の外見を損うことがない。
【００１３】
請求項４のようにすることで、押下げヘッドに対するカバー21の回動範囲を規整できる。
【発明を実施するための最良の形態】
【００１４】
以下図面について説明すると、１は胴部上端から肩部を介して口頸部２を起立する容器体、３はその口頸部外面へ周壁４を螺合させ、該周壁上端から内向きフランジ５を介してガイド筒６を起立する装着筒である。該装着筒は図示のように内向きフランジ外周から外周壁９を垂下させて二重壁としてもよい。ガイド筒６の前部外面へ第１突条８を縦設し、かつ第１突条を有するガイド筒部分内面へは上端から下端まで溝７を縦設している。11は容器体口頸部の上端面上へ、パッキングを介して上端の外向きフランジ12を載置させて容器体内へ垂下するシリンダで、該シリンダ下端からは吸上げパイプ13を垂下する。
【００１５】
上記シリンダ内からは、下方に筒状ピストンを有する、ステム14が上方付勢されて、又上記内向きフランジのフランジ孔およびガイド筒６内を通して起立され、そのステム上端に押下げヘッド15から垂下されたステム嵌合筒16を嵌合させて、それ等筒状ピストン、ステム、押下げヘッドで作動部材を形成している。押下げヘッド15の頂板17外周のやや下方前部のステム嵌合筒部分からノズル18を前方突出させている。ノズル下方のステム嵌合筒前面へは既述溝７内を上下動させる第２突条19を縦設している。尚該第２突条19と既述溝７とは逆に設けてもよい。
【００１６】
21は上記押下げヘッド15が、不用意に押下げられることを防止するカバーで、押下げヘッド15の上端部へ回動可能に嵌合させた、押下げヘッドよりも大外径のキャップ状部22前部から、該キャップ状部の前方へ突出するノズル部分の上面、前端面および下面を覆い、かつ該ノズルの下面覆合部分後端から下方板部23a を垂下してその下端を既述第１突条８上面へ載置する嘴状部23を突出する。該カバーは図３が示すように押下げヘッド15に対する回動でノズル11側方へ移動させることが可能とし、又図１の元の位置へ復帰可能としたものであり、そのためキャップ状部の天板24から垂下して押下げヘッド15外面へ嵌合させる嵌合壁25は上方からみてＣ字形状とし、下方板部23a が第１突条８上へ載置する状態で嵌合壁一端がノズル18の基端部側面に接し、図３のようにノズル側方へ嘴状部23を移動させたとき、嵌合壁他端がノズルの他方側面に接するよう設けている。カバー21は押下げヘッド15から取外し可能に形成してもよい。
【図面の簡単な説明】
【００１７】
【図１】本発明容器の斜視図である。
【図２】図１容器に装着させるポンプの半断面図である。
【図３】図１容器を液体噴出可能とした状態で示す斜視図である。
【図４】図１容器に使用するカバーの斜視図である。
【符号の説明】
【００１８】
３  装着筒                          ６  ガイド筒
７  溝                              ８  第１突条
11  シリンダ                        14  ステム
15  押下げヘッド                    16  ステム嵌合筒
18  ノズル                          19  第２突条
21  カバー                          22  キャップ状部
23  嘴状部                          23ａ下方板部
【図１】
2006282228.tif 000003
【図２】
2006282228.tif 000004
【図３】
2006282228.tif 000005
【図４】
2006282228.tif 000006